(57)【要約】      （修正有）【課題】製造コストを増大させずに、装飾性や広告機能を向上させた吊り下げリールを提供する。【解決手段】吊り下げリール１００は、一端に対象物を連結可能な紐体と、紐体の他端を巻き取りおよび繰り出し可能であり且つ巻き取り方向に付勢されたリールを内蔵したリール本体１０とを備える。リール本体１０の表面には内周に沿って枠部１０ａが形成され、枠部１０ａには透明カバー部材２０が着脱可能に嵌合される。リール本体１０の表面と透明カバー部材２０との間には、カバー部材２０側に印字面を有する紙片６０を挟持させ、印字面の異なる紙片と交換することにより、容易にデザインを変更することの可能な、装飾性を持った吊り下げリール１００とする。【選択図】図２
0003145901.tif 000002
【実用新案登録請求の範囲】
【請求項１】
一端に対象物を連結可能な紐体と、
前記紐体の他端を巻き取りおよび繰り出し可能であり且つ巻き取り方向に付勢されたリールを内蔵したリール本体とを備える吊り下げリールにおいて、
前記リール本体は、表面と、裏面と、側面とを有し、前記表面と前記裏面とは前記側面により離隔されて前記リールを収容するための空間を形成し、
前記表面は、前記表面の内周に沿って形成された枠部と、前記枠部に着脱可能に嵌合された透明カバー部材とを備え、
前記枠部には１つの切欠部が設けられ、前記透明カバー部材には前記枠部の前記切欠部と対応する箇所に突起が設けられ、前記透明カバー部材を前記枠部に嵌合させたとき、前記突起が前記切欠部に受容され、
前記表面と前記透明カバー部材との間には、前記カバー部材側に印字面を有する紙片が挟持されることを特徴とする吊り下げリール。
【請求項２】
請求項１に記載の吊り下げリールにおいて、
前記リール本体の前記裏面にはクリップが取り付けられることを特徴とする吊り下げリール。
【考案の詳細な説明】
【技術分野】
【０００１】
本考案は、主に名札やカードケース等を便利に使用するために用いられる吊り下げリールに係り、より詳細には、装飾性および広告機能を高めることの可能な吊り下げリールに関する。
【背景技術】
【０００２】
近年、各種料金の支払や個人認証など、日常の様々な場面で非接触ＩＣカードが利用されるようになるにつれて、非接触ＩＣカードをかばん等から取り出すことなく便利に使用できるよう工夫された製品が種々開発されている。例えば、特開２００７−３０１３０８号公報に記載されているクリップ付リールのように、クリップによりリール本体を衣服等へ係着させ、先端に名札を保持させた紐体を必要に応じて巻き取ったり引き出したりすることを可能としたものがある。
【０００３】
このようなクリップ付リールに装飾性をもたせたり、あるいは社名等の広告を付したりしようとする場合には、従来例えば次のような方法が採られてきた。第１の方法は、リールに取り付けるストラップに印刷を施すというものである。また、第２の方法は、リール本体の表面上にいわゆるポッティングシールを貼付するというものである。
【０００４】
ポッティングシールは、印刷シール上に表面がなだらかに盛り上がるように透明樹脂層を形成することにより作成されるもので、平面的なシールに比べて特殊な外観および質感を有するものである。ポッティングシールの例としては、実用新案登録第３０４７３５１などを参照することができる。
【考案の開示】
【考案が解決しようとする課題】
【０００５】
しかしながら、これらの方法により吊り下げリールに装飾性を持たせようとすると、次のような問題がある。
まず、第１の方法では、ストラップの磨耗につれて印刷が剥離するため、次第に装飾・広告の機能が失われてしまう。また、第２の方法では、ポッティングシールは多くの場合大量生産されるものであるため、少量のみを必要とするとコストパフォーマンスが悪い。
【０００６】
さらに、ポッティングシールに限らず、一旦接着した粘着シールは剥がすのが困難であるだけでなく、剥がした後に貼付面に接着物質が残留し、別のシールを貼付する前にこれを除去しなければならない。そして、剥がしたシールは、接着物質が残されていなかったり変形したりしているため、再利用されずに廃棄されてしまう。
【０００７】
これらの問題に鑑み、本考案は、製造コストを増大させることなく、装飾性や広告機能を向上させた吊り下げリールを提供することを目的とする。
【課題を解決するための手段】
【０００８】
前述の目的のために、本考案の吊り下げリールは、一端に対象物を連結可能な紐体と、紐体の他端を巻き取りおよび繰り出し可能であり且つ巻き取り方向に付勢されたリールを内蔵したリール本体とを備える。リール本体は、表面と、裏面と、側面とを有し、表面と裏面とは側面により離隔されてリールを収容するための空間を形成する。表面は、表面の内周に沿って形成された枠部と、枠部に着脱可能に嵌合された透明カバー部材とを備える。枠部には１つの切欠部が設けられ、透明カバー部材には枠部の切欠部と対応する箇所に突起が設けられ、透明カバー部材を枠部に嵌合させたとき、突起が切欠部に受容される。表面と透明カバー部材との間には、カバー部材側に印字面を有する紙片が挟持される。
この吊り下げリールにおいて、リール本体の裏面にはクリップが取り付けられてもよい。
【考案の効果】
【０００９】
本考案の吊り下げリールによれば、紙片の印字を変更することにより、従来のポッティングシールを貼りかえるのと同様の効果をもたらすことができる。吊り下げリール自体は量産が可能であり、紙片は好みの文字や図柄を印字すればごく少数であってもよいので、高いコストを要さずに、自由且つ容易にデザインを変更可能な、装飾性・広告機能を持った吊り下げリールを提供することができる。
【考案を実施するための最良の形態】
【００１０】
以下、図面を参照して本考案の実施形態を説明する。
図１は本考案による吊り下げリール１００の正面図である。図示するように、吊り下げリール１００は、リール本体１０と、リール本体１０の内周に沿って設けられた枠１０ａに着脱可能に嵌合された透明カバー２０とを備える。
【００１１】
図２からわかるように、リール本体１０は、表面と、裏面と、側面とを有してなり、表面と裏面とは側面により離隔されて図示しないリールを収容するための空間が形成される。リールに巻き取られた紐の先端には、クリップやフック等を取り付けて名札あるいは非接触ＩＣカード等を保持するためのリング３０が備えられている。例えば図４に示すように、リング３０を介して紐８０の先端にクリップを取り付けることにより、カード２００を保持することができる。リールは巻き取り方向に付勢されており、カード２００をカードリーダにかざすときには紐８０をリールから繰り出し、使用が済んだらリールに巻き取らせる仕組みとなっている。
【００１２】
透明カバー２０は、外側に突出した１つの突起２０ａを備える。一方、リール本体１０の枠１０ａには１つの切欠部４０が形成されており、透明カバー２０をリール本体１０に嵌合させたときには突起２０ａが切欠部４０に受容されるようになっている。リール本体１０のリング３０と対向する箇所には、吊り下げリール１００を首から吊り下げるためのストラップ等の取り付け部５０が設けられており、例えば図４に示すようにストラップ９０が取り付けられる。
【００１３】
図２には、透明カバー２０を取り外した状態の吊り下げリール１００が表されている。図示するように、リール本体１０の枠１０ａの内側には、印字面を上側すなわち透明カバー２０側にして、紙片６０が配置される。紙片６０は、ズレが生じないように枠１０ａの内周に沿った大きさおよび形状を有するのが好ましいが、粘着性を有する必要はない。透明カバー２０を嵌合させて紙片６０を挟み込むことにより、吊り下げリール１００には、ポッティングシールを貼付した場合と同様の装飾効果がもたらされる。
【００１４】
ここで、図３に示すように、透明カバー２０をリール本体１０に嵌合させたとき、切欠き部５０に収容された突起２０ａと切欠部５０との間には僅かな隙間７０が生じる。この隙間７０に先の細いペン等を差し込み、梃子にして持ち上げることにより、透明カバー２０は容易に取り外すことができる。紙片６０は適宜交換が可能であるから、異なるデザインの紙片６０を用いることにより、異なる装飾または広告とすることができる。すなわち、例えば企業のロゴやキャラクタのイラストなど、吊り下げリールの用途や所持者の好みに応じて紙片６０を交換すれば、従来のシールを貼りかえるのと同様の効果を得ることができる。
【００１５】
なお、以上説明した実施形態においては、リール本体、透明カバー、紙片をいずれも円形としたが、これらの形状が適宜変更可能であることは言うまでもない。また、各々の形状を統一する必要はなく、別々の形状に形成することも可能である。
さらに、従来の吊り下げリールと同様、リール本体の裏面にクリップを取り付けて衣服に係着させてもよい。また、ポッティングシールに代えて紙片と透明カバーを利用することにより装飾効果を挙げる手法は、他の物品にも使用することが可能である。
【図面の簡単な説明】
【００１６】
【図１】本考案による吊り下げリールの一実施例を示す正面図。
【図２】本考案による吊り下げリールの一実施例を示す斜視図。
【図３】本考案による吊り下げリールの一実施例を示す側面図。
【図４】本考案による吊り下げリールの一実施例を示す斜視図。
【符号の説明】
【００１７】
１００  吊り下げリール
１０  リール本体
１０ａ  枠
２０  透明カバー
２０ａ  突起
３０  リング
４０  切欠部
５０  取り付け部
６０  紙片
７０  隙間
８０  紐
９０  ストラップ
２００  カード
【図１】
0003145901.tif 000003
【図２】
0003145901.tif 000004
【図３】
0003145901.tif 000005
【図４】
0003145901.tif 000006